(57)【要約】  商品などに付与されたタグ情報と、チャット／ＰｏＣサービスを代表とするコミュニティサービスなどとの関連付けが可能な通信端末装置を提供する。  ネットワーク（１，５）に接続するネットワーク接続手段と、タグ情報を読み取るタグ情報読み取り手段とを備え、前記タグ情報読み取り手段によって読み取ったタグ情報に含まれるＩＤ情報を含むＩＤリクエストを、前記ネットワーク（１，５）に接続されるＩＤセンタサーバ装置（２）に送信し、前記ＩＤセンタサーバ装置（２）から返却されるサービスＵＲＩを含むＵＲＩ検索リクエストを、前記ネットワーク（１，５）に接続されるサービスセンタサーバ装置（３）に送信し、前記サービスセンタサーバ装置から返却されるサービスＵＲＩ情報によって、前記ネットワーク（１，５）に接続されるＷｅｂサーバ装置（４）又はアプリケーションサーバ装置（５）にアクセスする。
2007135882.tif 000002
【特許請求の範囲】
【請求項１】
ネットワークに接続するネットワーク接続手段と、
タグ情報を読み取るタグ情報読み取り手段とを備え、
前記タグ情報読み取り手段によって読み取ったタグ情報に含まれるＩＤ情報を含むＩＤリクエストを、前記ネットワークに接続されるＩＤセンタサーバ装置に送信し、前記ＩＤセンタサーバ装置から返却されるサービスＵＲＩを含むＵＲＩ検索リクエストを、前記ネットワークに接続されるサービスセンタサーバ装置に送信し、前記サービスセンタサーバ装置から返却されるサービスＵＲＩ情報によって、前記ネットワークに接続されるＷｅｂサーバ装置又はアプリケーションサーバ装置にアクセスすることを特徴とする通信端末装置。
【請求項２】
前記タグ情報はＲＦＩＤ情報であることを特徴とする請求項１記載の通信端末装置。
【請求項３】
前記タグ情報はバーコードであることを特徴とする請求項１又は２記載の通信端末装置。
【請求項４】
前記サービスセンタサーバ装置に送信するＵＲＩ検索リクエストにおいて、該通信端末装置で利用可能なサービスの種別を設定することを特徴とする請求項１乃至３のいずれか１項に記載の通信端末装置。
【請求項５】
前記サービスＵＲＬ情報のうち使用するものを制限するフィルタ条件を設定できることを特徴とする請求項１乃至４のいずれか１項に記載の通信端末装置。
【発明の詳細な説明】
【技術分野】
【０００１】
本発明は、ネットワークを使用し、商品に付与されたタグ情報を読み取り、サーバを経由して、タグ情報とテキスト・音声・動画像データなどのマルチメディア情報、及び、チャット／ＰｏＣ（Push-to-Talk over Cellular）などのコミュニケーションアプリケーションなどを関連付け、サービスを利用するための通信システムに関するものである。
【背景技術】
【０００２】
近年、インターネットの普及、及び、無線通信ネットワークの進展により、携帯電話などの通信事業者においてもＩＰ（Internet Protocol）ネットワーク上で様々なメディアを通信するＩＭＳ（IP Multimedia Subsystem）サービスが提供され始めている。【０００３】
３ＧＰＰ（3rd Generation Partnership Project）、ＯＭＡ（Open Mobile Alliance）などで規定されるＩＰネットワークを利用した携帯電話サービスとして、テキストデータを主体としたチャットサービス、音声データを主体としたＰｏＣサービスなどがあり、いずれの場合もサーバを介したサービスを提供している。【０００４】
一方、印刷物／Ｗｅｂ上などで表示されるＱＲ（Quick Response）コードなどの２次元バーコード情報を読み取り、符号化されたＨＴＴＰ（Hypertext transfer protocol）サーバへのＵＲＩ（Universal Resource Identifier）情報を抽出し、Ｗｅｂブラウザから前述したＵＲＩにＷｅｂアクセスを行うことで、印刷物／Ｗｅｂ上に表示された内容と関連付けられたマルチメディア情報にアクセスできるようなサービスが提供されている（例えば、特許文献１）。【０００５】
従来の技術におけるシステム構成例を図５に示す。【０００６】
端末１及び端末２（８）は、各通信事業者によって提供されている無線ネットワークを使用してネットワークに接続する。無線ネットワークは、Ｗ−ＣＤＭＡ（Wideband Code Division Multiple Access）網、ＧＰＲＳ（General Packet Radio System）網、Ｗ−ＬＡＮ（Wireless Local Access Network）網など通信事業者が提供するネットワークにより様々である。【０００７】
まず、始めに、端末１及び端末２（８）が、読み取り対象物であるバーコード（９）を読み取り、Ｗｅｂサーバ（４）にアクセスする際の動作を図５及び図６を用いて説明する。【０００８】
バーコードの種類については、２次元バーコードであるＱＲコードなどが多く利用されている。【０００９】
図６に示すとおり、端末１及び端末２（８）は、バーコード読み取りを行い、バーコード中に含まれているＵＲＩ情報を抽出する。その後、Ｗｅｂサーバ（４）に対し、ＨＴＴＰ：ＧＥＴのようにデータ取得要求を送信し、Ｗｅｂサーバ（４）から２００  ＯＫレスポンス、及び、データを受信する。その後、端末では、受信したデータをＨＴＭＬ（Hypertext Markup Language）などの記述言語に従ってデータ表示を行う。【００１０】
ここで、端末１及び端末２（８）は、無線基地局装置（７）及びネットワーク接続装置（６）を経由し、インターネット上に設置されたＷｅｂサーバ（４）と通信する事になる。【００１１】
次に、端末１及び端末２（８）が、チャット／ＰｏＣサービスを利用する際の動作を図５及び図６を用いて説明する。【００１２】
各サービスを開始するための手順は、各サービスにより異なるため、ここでは、ＰｏＣサービスを利用する場合を説明する。まず、端末は、アプリケーションサーバ（５）にサービス利用の登録を行う。その後、ＳＩＰ：ＩＮＶＩＴＥなどのサービス利用を開始するためのＳＩＰメッセージを送信し、各種レスポンスメッセージなどをやり取りした後、音声データ、及び、制御データ（ＲＴＰ／ＲＴＣＰ）を送受信する事により、通話を行う。【００１３】
ここで、端末１及び端末２（８）は、無線基地局装置（７）及びネットワーク接続装置（６）を経由して、通信事業者ネットワーク上に設置されたアプリケーションサーバ（ＡＳ）（５）と通信する事になる。
【特許文献１】特開２００２−１１８６８０号公報
【発明の開示】
【発明が解決しようとする課題】
【００１４】
しかし、前述した２つのサービス（サーバアクセス）には互いに関連性がなく、例えば、ある商品に付与されたバーコードの情報からは、バーコードによって示されたＷｅｂサーバへのアクセスのみ可能であり、例えば、当該商品が話題となっているチャット／ＰｏＣグループリストに対して簡単にアクセスする事はできなかった。【００１５】
また、ＵＲＩの読み取りのためのバーコード情報は、印刷物などに限定されており、更に地域毎に異なったＨＴＴＰサーバにアクセスするように制御するためには、各地域毎に異なる２次元バーコードを印刷する必要があり、きめ細かなサービスを行うための自由度が低かった。【００１６】
さらに、通常の印刷物に付与されたバーコードに関しては、地域毎に別のＵＲＩ情報を埋め込むことは一般的でなく、Ｗｅｂサーバへのアクセス集中によるサーバ負荷の増加、ネットワークトラフィックの増加などの課題があった。【００１７】
上述したことを鑑み、本発明は、商品などに付与されたタグ情報と、チャット／ＰｏＣサービスを代表とするコミュニティサービスなどとの関連付けが可能な通信端末装置を提供することを目的とする。
【課題を解決するための手段】
【００１８】
本発明の通信端末装置は、ネットワークに接続するネットワーク接続手段と、タグ情報を読み取るタグ情報読み取り手段とを備え、前記タグ情報読み取り手段によって読み取ったタグ情報に含まれるＩＤ情報を含むＩＤリクエストを、前記ネットワークに接続されるＩＤセンタサーバ装置に送信し、前記ＩＤセンタサーバ装置から返却されるサービスＵＲＩを含むＵＲＩ検索リクエストを、前記ネットワークに接続されるサービスセンタサーバ装置に送信し、前記サービスセンタサーバ装置から返却されるサービスＵＲＩ情報によって、前記ネットワークに接続されるＷｅｂサーバ装置又はアプリケーションサーバ装置にアクセスすることを特徴とする。【００１９】
タグ情報は、ＲＦＩＤ情報又はバーコードであってもよい。【００２０】
サービスセンタサーバ装置に問い合わせる際に、該通信端末装置で利用可能なサービスの種別を設定するようにしてもよい。【００２１】
前記サービスＵＲＬ情報のうち使用するものを制限するフィルタ条件を設定できるようにしてもよい。
【発明の効果】
【００２２】
本発明によれば、商品などに付与されたタグ情報と、チャット／ＰｏＣサービスを代表とするコミュニティサービスなどとの関連付けが可能な通信端末装置が実現できる。
【図面の簡単な説明】
【００２３】
【図１】本特許におけるシステムの構成の一例を示す図である。
【図２】本特許におけるシーケンスの一例を示す図である。
【図３】サービスセンタＵＲＩ及びサービスＵＲＩのフォーマットの一例を示す図である。
【図４】サービス情報のフィルタリングの一例を示す図である。
【図５】従来技術におけるシステムの構成の一例を示す図である。
【図６】従来技術におけるシーケンスの一例を示す図である。
【符号の説明】
【００２４】
１  インターネット
２  ＩＤセンタサーバ
３  サービスセンタサーバ
４  Ｗｅｂサーバ
５  アプリケーションサーバ
６  ネットワーク接続装置
７  無線基地局装置
８  端末
９、１０  読み取り対象物
【発明を実施するための最良の形態】
【００２５】
本特許におけるシステム構成例を図１に示す。なお、従来の技術におけるシステム構成例（図４）と同様な構成である箇所については、同じ符号を付与している。【００２６】
まず、始めに、従来の技術における構成から異なっているＩＤセンタサーバ（２）及びサービスセンタサーバ（３）について、説明する。【００２７】
ＩＤセンタサーバ（２）及びサービスセンタサーバ（３）は、それぞれ、Ｗｅｂサーバ（４）と同様にインターネット上に設置されており、端末１及び端末２（８）からは、従来の技術におけるＷｅｂサーバ（４）へのアクセスと同様に、無線基地局装置（７）、ネットワーク接続装置（６）を介してアクセスする事ができる。【００２８】
次に、図２を用いて、本特許におけるシーケンス例を説明する。【００２９】
まず始めに、端末１及び端末２（８）からアプリケーションサーバ（５）に対してＳＩＰ：ＲＥＧＩＳＴＥＲを送出し、ＡＳへの端末登録（サービスを利用可能にするための登録）を行う。【００３０】
その後、端末でＲＦＩＤタグなどのタグ情報を読み取り、ＩＤ情報を抽出する。【００３１】
そして、ＩＤセンタに対し、抽出したＩＤ情報を含むＨＴＴＰ  ＧＥＴなどのＩＤ検索リクエストを送信する。ＩＤセンタからは、サービスセンタＵＲＩなどの情報を含んだ２００  ＯＫレスポンスが返却される。【００３２】
その後、取得したサービスセンタＵＲＩに対して、ＩＤ情報を含むＨＴＴＰ  ＧＥＴなどのサービスＵＲＩ検索リクエストを送信する。サービスセンタからは、サービスＵＲＩなどの情報を含んだ２００  ＯＫレスポンスが返却される。【００３３】
複数のサービスＵＲＩが返却された場合を考慮し、各種のサービスＵＲＩ情報を表示し、ユーザからどのようなサービスを開始するのかを選択可能とする。【００３４】
その後、ユーザが、ＰｏＣサービスを利用する場合、アプリケーションサーバ（５）に対し、ＳＩＰ：ＩＮＶＩＴＥなどのサービス利用を開始するためのＳＩＰメッセージを送信し、各種レスポンスメッセージなどをやり取りした後、音声データ及び制御データ（ＲＴＰ／ＲＴＣＰ）を送受信する事により、通話を行う。【００３５】
ここでは、ＰｏＣサービスを例に説明をしたが、本特許の有効性は、ＰｏＣサービスだけに限定するものではなく、サービスＵＲＩ情報にチャット、動画像などの様々な通信サービスにおいても広く利用する事が出来る。【００３６】
次に、図３を用いて、前述したシーケンス例で端末（８）が送受信するサービスセンタＵＲＩ及びサービスＵＲＩのフォーマット例について説明する。【００３７】
（１）にサービスセンタＵＲＩ情報のフォーマット例を記載する。【００３８】
本フォーマット例では、複数のサービスセンタＵＲＩ情報を記載するためのフォーマットとしており、サービスセンタＵＲＩは、１つ以上含んでも良い。【００３９】
（２）にサービスＵＲＩ情報のフォーマット例を記載する。【００４０】
本フォーマット例では、サービスセンタサーバ１に問い合わせた結果、ServiceID=1、ServiceID=2の２種類のサービスＵＲＩが返却された場合の例を記載している。【００４１】
ServiceID=1では、ＲＦＩＤ  タグに関連する複数のＷｅｂサイトのＵＲＩ情報（Ｗｅｂ 1-1〜Ｗｅｂ 1-n）を含んでおり、ServiceID=2では、ＲＦＩＤ  タグに関連するＰＯＣサービスのＵＲＩ情報（POC 2-1）を含んでいる。【００４２】
以上の通り、サービス情報は、１つ以上含んでも良い。【００４３】
次に図４を用いて、サービス情報の取得時におけるフィルタリング動作について説明する。この図の左側にサービスセンターに登録されている情報を示し、ここでは、Service ID=1をWEB、Service ID=2をPOCとしている。Service IDは固有の値とする。【００４４】
図４では、ある端末では、Ｗｅｂサービスのみをサポートし、別の端末では、ＷｅｂサービスとＰｏＣサービスの両方をサポートしている場合を想定している。【００４５】
（１）では、端末がＷｅｂサービスのみをサポートしている場合で、図２における(5)ＨＴＴＰ：ＧＥＴに[ID]だけでなく、フィルタ条件[ServiceID=1]を設定する事で、サービスセンタサーバから返却される(6)ＨＴＴＰ：２００ ＯＫに含まれるサービスＵＲＩ情報をServiceID=1の場合に制限するように制御する事ができる。【００４６】
同様に（２）では、端末がＷｅｂサービスとＰｏＣサービスの両方をサポートしている場合で、図２における(5)ＨＴＴＰ：ＧＥＴに[ID]だけでなく、フィルタ条件[ServiceID=1-2]を設定する事で、サービスセンタサーバから返却される(6)ＨＴＴＰ：２００  ＯＫに含まれるサービスＵＲＩ情報をServiceID=1、及び、ServiceID=2の両方を取得するように制御する事ができる。【００４７】
なお、ID、ServiceIDの記述方法については、例として記載しており、本例以外の記述方法をとっても良い。【００４８】
上記のような構成、方法を用いることで、商品などに付与されたタグ情報と、チャット／ＰｏＣサービスを代表とするコミュニティサービスなどとの関連付けが容易に可能となる。【００４９】
また、端末で使用しないサービス種別については、あらかじめフィルタなどを登録する事で不要なサービスをフィルタリングする事ができ、端末で使用できるサービス（端末能力）に合致したサービスＵＲＩ情報の取得が可能となるため、端末におけるサービスＵＲＩ情報の削除処理の省略、保存メモリ領域の削減など端末を実装する上での効果があるとともに、不要なサービスＵＲＩ情報がサービスセンタから端末間で送受信されなくなる事から、ネットワークトラフィックの軽減という効果も得られる。【００５０】
更に、ＲＦＩＤは、書き換えが容易に可能なため、特定地域向け毎にタグＩＤを変える事などが容易である。そのため、本特許によるタグとサービスＵＲＩ情報の関連付けを用いると、特定地域毎にサービスを提供するためのアプリケーションサーバ（ＡＳ）を変えることが容易になる。その結果、アプリケーションサーバアクセスの分散によるサーバ負荷の軽減や、ネットワークトラフィックの軽減という効果が得られる。
【図１】
2007135882.tif 000003
【図２】
2007135882.tif 000004
【図３】
2007135882.tif 000005
【図４】
2007135882.tif 000006
【図５】
2007135882.tif 000007
【図６】
2007135882.tif 000008
【国際調査報告】
2007135882.tif 000009
2007135882.tif 000010
2007135882.tif 000011
2007135882.tif 000012